(57)【要約】【課題】電子機器を廃棄する際に、分解することなく簡単な作業で、内蔵された記録媒体からデータが流出するのを確実に防止する仕組みを提供する。【解決手段】電子機器は、機器本体１と、機器本体１の内部に設けられ、記録媒体が実装される記録基板６１と、機器本体１の内部に設けられ、外部機器と接続するための端子穴４２が機器本体１の外部に開口する接続端子４１が実装される端子基板５１とを備える。端子穴４２は、前記接続端子４１に貫通して設けられ、端子穴４２の軸線の延長線上に記録基板６１の基板面が配置される。【選択図】図８
2012138161.tif 000002
【特許請求の範囲】
【請求項１】
機器本体と、
前記機器本体の内部に設けられ、記録媒体が実装される記録基板と、
前記機器本体の内部に設けられ、外部機器と接続するための端子穴が前記機器本体の外部に開口する接続端子が実装される端子基板とを備え、
前記端子穴は、前記接続端子内を貫通しており、前記端子穴の軸線の延長線上に前記記録基板の基板面が配置されることを特徴とする電子機器。
【請求項２】
前記記録基板の基板面における前記端子穴の軸線の延長線上に、前記端子穴の径より小さい穴が形成されることを特徴とする請求項１記載の電子機器。
【請求項３】
前記記録基板の基板面と前記端子穴の前記記録基板の基板面側の開口との間の空間を、前記端子基板の基板面とともに覆うカバー部を更に備えることを特徴とする請求項１又は２に記載の電子機器。
【請求項４】
前記接続端子を覆った状態で前記端子基板に固定される端子ホルダを更に備え、
前記カバー部は、前記端子ホルダに設けられることを特徴とする請求項３記載の電子機器。
【請求項５】
機器本体と、
前記機器本体の内部に設けられ、記録媒体が実装される記録基板と、
前記機器本体の内部に設けられ、外部機器と接続するための端子穴が前記機器本体の外部に開口する接続端子が実装される端子基板とを備え、
前記端子穴は、前記接続端子内を貫通しており、前記端子穴の軸線の延長線上に前記記録基板に実装される記録媒体が配置されることを特徴とする電子機器。
【発明の詳細な説明】
【技術分野】
【０００１】
本発明は、例えばデジタルカメラ等の電子機器に関し、特に画像や文字等のデータが記録される記録媒体が内蔵された電子機器に関する。
【背景技術】
【０００２】
従来、ＣＤやＤＶＤ等の回転ディスクを廃棄する際に、回転ディスクの記録面全域に傷をつけることで、回転ディスクからのデータの読み取りを不能にする装置が提案されている（例えば、特許文献１参照）。
【先行技術文献】
【特許文献】
【０００３】
【特許文献１】特開２００４−２８８３１８号公報
【発明の概要】
【発明が解決しようとする課題】
【０００４】
しかし、上記特許文献１に開示の装置では、デジタルカメラ等の電子機器に内蔵された記録媒体には、対応することができない。デジタルカメラ等の電子機器に内蔵された記録媒体においても、画像や文字等のプライベートなデータが記録されるため、デジタルカメラ等を廃棄する際には、記録媒体からデータが外部に流出しないようにすることが望まれる。
【０００５】
そこで、本発明は、電子機器を廃棄する際に、分解することなく簡単な作業で、内蔵された記録媒体からデータが流出するのを確実に防止することができる仕組みを有する電子機器を提供することを目的とする。
【課題を解決するための手段】
【０００６】
上記目的を達成するために、本発明の電子機器は、機器本体と、前記機器本体の内部に設けられ、記録媒体が実装される記録基板と、前記機器本体の内部に設けられ、外部機器と接続するための端子穴が前記機器本体の外部に開口する接続端子が実装される端子基板とを備え、前記端子穴は、前記接続端子内を貫通しており、前記端子穴の軸線の延長線上に前記記録基板の基板面が配置されることを特徴とする。
【発明の効果】
【０００７】
本発明によれば、電子機器を廃棄する際に、分解することなく簡単な作業で、内蔵された記録媒体からデータが流出するのを確実に防止することができる。
【図面の簡単な説明】
【０００８】
【図１】本発明の第１の実施形態における電子機器であるデジタルビデオカメラを正面側から見た外観斜視図である。
【図２】図１に示すデジタルビデオカメラの表示ユニットを開いた状態を背面側から見た斜視図である。
【図３】図１に示すデジタルビデオカメラのカメラ本体の内部構造の概略を示す斜視図である。
【図４】カメラ本体の接続端子と端子基板の斜視図である。
【図５】接続端子を保持する端子ホルダの斜視図である。
【図６】端子ホルダを端子基板に取り付けた状態を示す斜視図である。
【図７】デジタルビデオカメラを廃棄する際に、接続端子の端子穴にスクリュードライバーの軸部を挿入した状態を示す斜視図である。
【図８】図７の状態におけるカメラ本体の端子穴の軸線の延長線に沿う断面図である。
【図９】第２の実施形態におけるカメラ本体の内部構造の概略を示す斜視図である。
【図１０】第２の実施形態における端子ホルダを端子基板に取り付けた状態を示す斜視図である。
【発明を実施するための最良の形態】
【０００９】
以下、本発明の実施形態を図面を参照して説明する。
【００１０】
（第１の実施形態）
図１は、本発明の第１の実施形態における電子機器であるデジタルビデオカメラを正面側から見た外観斜視図、図２は、図１に示すデジタルビデオカメラの表示ユニットを開いた状態を背面側から見た斜視図である。
【００１１】
図１及び図２に示すように、第１の実施形態におけるデジタルビデオカメラは、カメラ本体１の正面側にレンズ装置２が配置され、上面側にズームレバー１１が配置され、背面側に撮影の開始と停止を操作するトリガースイッチ１２が配置されている。
【００１２】
また、カメラ本体１の正面側から見て右側の側部には、表示ユニット４が開閉可能に支持されている。表示ユニット４は、閉じ状態でカメラ本体１の収納部３１に収納され、収納部３１には、マイクやテレビ等の外部機器を接続するための接続端子４１の端子穴４２が外部に開口している。ここで、カメラ本体１は、本発明の機器本体の一例に相当する。
【００１３】
図３は、図１に示すデジタルビデオカメラのカメラ本体１の内部構造の概略を示す斜視図、図４は、カメラ本体１の接続端子４１と端子基板５１の斜視図である。
【００１４】
図３に示すように、レンズ装置２の下面側には、端子基板５１が水平に設けられており、端子基板５１の上側の基板面には、接続端子４１が実装されている。レンズ装置２の光軸方向と垂直な側部には、記録基板６１が端子基板５１に対して略直交するように設けられており、記録基板６１の接続端子４１側を向く基板面には、半導体メモリ等の記録媒体６２が実装されている。
【００１５】
また、図３及び図４に示すように、接続端子４１の端子穴４２は、接続端子４１内を記録基板６１に向かって貫通している。記録基板６１は、その基板面がこの端子穴４２の軸線４４の延長線上に配置される。記録基板６１の基板面には、端子穴４２の軸線４４の延長線上に、端子穴４２の径より小径の例えば円形の穴６３が形成されている。尚、記録基板６１の接続端子４１側の基板面には、穴６３の近傍にさらに例えば円形の穴６４が形成されている。また、端子基板５１にも、後述するボス部７３の穴の軸線の延長線上に穴５２が設けられる。
【００１６】
図５は、接続端子４１を保持する端子ホルダ７０の斜視図、図６は、端子ホルダ７０を端子基板５１に取り付けた状態を示す斜視図である。
【００１７】
図５に示すように、端子ホルダ７０は、絶縁材等で形成され、断面コ字状のカバー部７１と、カバー部７１に連設された断面Ｕ字状のカバー部７２と、カバー部７１の側部に設けられたねじ止め用のボス部７３と、を備える。
【００１８】
そして、図６に示すように、端子ホルダ７０のカバー部７１で接続端子４１を覆った状態で、ボス部７３の穴に不図示のねじを挿入して端子基板５１の穴５２（図３，図４参照）にその先端が係合した状態で締め付けることで、端子ホルダ７０が端子基板５１に固定される。かかる固定状態においては、端子ホルダ７０のカバー部７２は、記録基板６１の基板面と端子穴４２の記録基板６１の基板面側の開口との間の空間を、端子基板５１の基板面とともに覆うようになっている。
【００１９】
図７は、デジタルビデオカメラを廃棄する際に、接続端子４１の端子穴４２にスクリュードライバー８０の軸部を挿入した状態を示す斜視図である。図８は、図７の状態におけるカメラ本体１の端子穴４２の軸線４４の延長線に沿う断面図である。
【００２０】
図８に示すように、接続端子４１の端子穴４２に挿入したスクリュードライバー８０の軸部は、端子穴４２、及び端子ホルダ７０のカバー部７２内に挿通され、先端が記録基板６１に形成した穴６３に係合する。ここでは、スクリュードライバー８０は、プラスねじ用のドライバーである。尚、端子穴４２に挿通できる棒状のものであれば、スクリュードライバー８０以外のものを用いてもよい。
【００２１】
そして、この状態でスクリュードライバー８０をさらに強く押すことにより、記録基板６１を破壊することができ、これにより、記録媒体６２からデータの読み取りが不能となる。
【００２２】
このとき、スクリュードライバー８０の軸部の先端の斜面部が記録基板６１に形成した穴６３に係合して、軸部の先端が滑ることなく力を記録基板６１に伝えることができ、また、穴６３近傍に形成した穴６４により記録基板６１の破壊がより一層容易になる。
【００２３】
また、スクリュードライバー８０の軸部の端子穴４２から記録基板６１側に突出した部分は、端子ホルダ７０のカバー部７２と端子基板５１とで覆われているので、カメラ本体１内の線材や他の高圧回路部に接触するおそれがなく、安全に記録基板６１を破壊することができる。
【００２４】
以上説明したように、第１の実施形態では、デジタルビデオカメラを廃棄する際に、分解することなく簡単な作業で、内蔵された記録媒体６２からデータが流出するのを確実に防止することができる。
【００２５】
なお、本発明の構成は、上記実施形態に例示したものに限定されるものではなく、材質、形状、寸法、形態、数、配置箇所等は、本発明の要旨を逸脱しない範囲において適宜変更可能である。
【００２６】
例えば、上記第１の実施形態では、記録基板６１に２つの円形の穴６３，６４を形成した場合を例示したが、これに代えて、記録基板６１にミシン目形状の穴やスリット状の穴を形成してもよい。また、上記第１の実施形態では、記録基板６１に穴６３，６４を、端子基板５１に穴５２を設けているが、これらの穴は無くてもよい。さらには、カメラ本体１内の線材や他の高圧回路部を端子穴４２の軸線４４の延長線近傍に配さない場合は、端子ホルダ７０で接続端子４１を覆わなくてもよい。
【００２７】
（第２の実施形態）
図９および図１０を用いて、本発明の電子機器の第２の実施形態を説明する。上述した第１の実施例と同様である部分は、第１の実施例と同一の符号を使用して、その説明を省略する。
【００２８】
図９に示すように、レンズ装置２の下面側には、端子基板１５１が水平に設けられており、端子基板１５１の上側の基板面には、接続端子４１が実装されている。第１の実施形態と同様に、接続端子４１の端子穴４２の軸線４４の延長線に対して、記録基板１６１の基板面が略直交するように、記録基板１６１は配置されている。第１の実施形態と同様に、図９に示すように、半導体メモリ等の記録媒体６２が接続端子４１の端子穴４２の軸線４４の延長線上に位置するように、記録基板１６１に実装されている。
【００２９】
図１０は、絶縁材等で形成された端子ホルダ７０を端子基板５１に取り付けた状態を示す斜視図である。端子ホルダ７０は図５にて、説明したものと同様のものであるが、記録媒体６２の厚み分だけ断面コ字状のカバー部１７２の長さが図３のカバー部７２より短くなっている。
【００３０】
図１０に示すように、端子ホルダ７０のカバー部７１で接続端子４１を覆った状態で、ボス部７３の穴に不図示のねじを挿入して端子基板１５１の穴１５２（図９参照）にその先端が係合した状態で締め付けることで、端子ホルダ７０が端子基板１５１に固定される。このとき、端子ホルダ７０のカバー部７２は、記録媒体６２の表面と端子穴４２の記録基板６１の基板面側の開口との間の空間を、端子基板１５１の基板面とともに覆うようになっている。
【００３１】
図７に図示する第１の実施の形態と同様に、図１０の接続端子４１の端子穴４２にスクリュードライバー８０（不図示）の軸部を挿入すると、スクリュードライバー８０の軸部は、端子穴４２、及び端子ホルダ７０のカバー部１７２内に挿通され、先端が記録媒体６２の表面に到達する。スクリュードライバー８０をさらに強く押すことにより、記録媒体６２を確実に破壊することができる。記録媒体６２が物理的に破壊されるので、記録媒体６２からデータの読み取りが不能となる。
【００３２】
また、スクリュードライバー８０の軸部の端子穴４２から記録媒体６２側に突出した部分は、端子ホルダ７０のカバー部１７２と端子基板１５１とで覆われているので、カメラ本体１内の線材や他の高圧回路部に接触するおそれがなく、安全に記録媒体６２だけを破壊することができる。
【００３３】
以上説明したように、第２の実施形態では、デジタルビデオカメラを廃棄する際に、記録媒体６２を物理的に破壊することができ、より確実に記録媒体６２からデータが流出するのを確実に防止することができる。
【符号の説明】
【００３４】
１  カメラ本体
４１  接続端子
４２  端子穴
５１  端子基板
６１  記録基板
６２  記録媒体
６３  穴
６４  穴
７０  端子ホルダ
【図１】
2012138161.tif 000003
【図２】
2012138161.tif 000004
【図３】
2012138161.tif 000005
【図４】
2012138161.tif 000006
【図５】
2012138161.tif 000007
【図６】
2012138161.tif 000008
【図７】
2012138161.tif 000009
【図８】
2012138161.tif 000010
【図９】
2012138161.tif 000011
【図１０】
2012138161.tif 000012